(57)【要約】      （修正有）【課題】光源からの光を視認しやすいコネクタを提供する。【解決手段】ＬＥＤ２１からの光をハウジング５の嵌合方向前方に導くライトガイド７を、コンタクト３を保持するハウジング５に被せるようにした。【選択図】図２Ａ
2009140763.tif 000002
【特許請求の範囲】
【請求項１】
コンタクトと、
前記コンタクトを保持するハウジングと、
前記ハウジングに被さるように設けられ、光源からの光を前記ハウジングの嵌合方向前方に導くライトガイドと
を備えていることを特徴とするコネクタ。
【請求項２】
前記ライトガイドが前記ハウジングに対して着脱可能であることを特徴とする請求項１記載のコネクタ。
【請求項３】
コンタクトと、
前記コンタクトを保持するハウジングと、
前記ハウジングに隙間を介して被せられるフレームと、
前記フレームの嵌合方向前端部に支持され、前記ハウジングと前記遮光フレームとの前記隙間に導入された光源からの光を前記ハウジングの嵌合方向前方へ透過させる透光部と
を備えていることを特徴とするコネクタ。
【請求項４】
前記フレームが前記ハウジングに対して着脱可能であることを特徴とする請求項３記載のコネクタ。
【請求項５】
コンタクトと、
前記コンタクトを保持するハウジングと、
前記ハウジングに設けられ、光源からの光を前記ハウジングの嵌合方向前方へ透過させる薄肉部と
を備えていることを特徴とするコネクタ。
【発明の詳細な説明】
【技術分野】
【０００１】
この発明はコネクタに関する。
【背景技術】
【０００２】
従来、ハウジングと端子ユニットとシールド部材と２つのライトガイドとを備えている表示機能付コネクタが知られている（下記特許文献１参照）。
【０００３】
ハウジングは底板部と側壁部とを有する。底板部と側壁部との連結部分にはライトガイドを収容するライトガイド収容部が形成されている。ライトガイド収容部は表示機能付コネクタの相手側コネクタに対する嵌合方向へ延びている。ライトガイド収容部の一端はハウジングの前面に達し、ライトガイド収容部の他端はハウジングの底面に達している。したがって、ライトガイド収容部の前端はハウジングの前面で開口し、ライトガイド収容部の後端はハウジングの底面で開口している。
【０００４】
端子ユニットはユニット本体部と端子支持部と複数の端子と複数の接続ピンと複数の導電線とを有する。ユニット本体部は合成樹脂等の絶縁材料で形成され、ほぼ方形である。端子支持部は庇状であり、ユニット本体部の前面の上部から突出している。端子はほぼＶ字形に折り曲げられている。端子の一端部は端子支持部に支持され、端子の他端部はユニット本体部に支持されている。接続ピンはユニット本体部に支持され、ユニット本体部の底面から突出している。接続ピンはプリント基板のスルーホールに挿入され、電気的に接続されている。導電線は端子と接続ピンとを電気的に接続する。端子ユニットはハウジングに両側壁の間に収容され、ハウジングに固定されている。
【０００５】
シールド部材は金属製であり、ハウジング及び端子ユニットを覆う。シールド部材の前面にはライトガイド収容部の一端の開口に対向するライトガイド用開口が形成されている。
【０００６】
ライトガイドはほぼ角柱状であり、ライトガイド収容部に収容されている。ライトガイドの長手方向の後端部には、プリント基板に実装された光源であるＬＥＤを収容するための凹部が形成されている。ＬＥＤは表示機能付コネクタがプリント基板に実装されるときにライトガイド収容部の後端の開口を通じてライトガイドの凹部内に収容される。
【０００７】
ＬＥＤは例えば表示機能付コネクタが相手側コネクタに接続されたとき、或いは表示機能付コネクタ及び相手側コネクタを通じて信号が流れているとき等に発光する。ＬＥＤから発せられた光はライトガイドの凹部に入射し、ライトガイドの長手方向の先端面から出射される。これにより、表示機能付コネクタと相手側コネクタとが接続されたことを検知したり、信号が流れていることを検知したりすることができる。
【特許文献１】特開２００７−２８７３５０号公報
【発明の開示】
【発明が解決しようとする課題】
【０００８】
上述のコネクタでは、角柱状のライトガイドの長手方向の先端面から光が出射されるので、光が出射される面積は小さく、視認性が悪かった。
【０００９】
この発明はこのような事情に鑑みてなされたもので、その課題は光源からの光を視認しやすいコネクタを提供することである。
【課題を解決するための手段】
【００１０】
前述の課題を解決するため請求項１の発明のコネクタは、コンタクトと、前記コンタクトを保持するハウジングと、前記ハウジングに被さるように設けられ、光源からの光を前記ハウジングの嵌合方向前方に導くライトガイドとを備えていることを特徴とする。
【００１１】
上述のように、ライトガイドはハウジングに被さるように設けられ、光源からの光をハウジングの嵌合方向前方に導くので、ライトガイドの嵌合方向前端が光る。
【００１２】
請求項２の発明のコネクタは、請求項１記載のコネクタにおいて、前記ライトガイドが前記ハウジングに対して着脱可能であることを特徴とする。
【００１３】
請求項３の発明のコネクタは、コンタクトと、前記コンタクトを保持するハウジングと、前記ハウジングに隙間を介して被せられるフレームと、前記フレームの嵌合方向前端部に支持され、前記ハウジングと前記遮光フレームとの前記隙間に導入された光源からの光を前記ハウジングの嵌合方向前方へ透過させる透光部とを備えていることを特徴とする。
【００１４】
上述のように、透光部はハウジングとフレームとの隙間に導入された光源からの光をハウジングの嵌合方向前方へ透過させるのでフレームの嵌合方向前端が光る。
【００１５】
請求項４の発明のコネクタは、請求項３記載のコネクタにおいて、前記フレームが前記ハウジングに対して着脱可能であることを特徴とする。
【００１６】
請求項５の発明のコネクタは、コンタクトと、前記コンタクトを保持するハウジングと、前記ハウジングに設けられ、光源からの光を前記ハウジングの嵌合方向前方へ透過させる薄肉部とを備えていることを特徴とする。
【００１７】
上述のように、ハウジングは光源からの光をハウジングの嵌合方向前方へ透過させる薄肉部を備えているので、薄肉部が光る。
【発明の効果】
【００１８】
この発明によれば、光源からの光を視認しやすい。
【発明を実施するための最良の形態】
【００１９】
以下、この発明の実施の形態を図面に基づいて説明する。
【００２０】
図１はこの発明の第１実施形態に係るコネクタのライトガイドを外した状態を示す斜視図、図２Ａは図１に示すコネクタの正面図、図２Ｂは同コネクタの平面図、図２Ｃは同コネクタの側面図、図２Ｄは同コネクタのIIＤ−IIＤ線に沿う断面図、図２Ｅは同コネクタの斜視図である。
【００２１】
図１、図２Ａ〜Ｅに示すように、コネクタ１０１は複数のコンタクト３とハウジング５とライトガイド７とシールド部材１１とを備えている。コネクタ１０１は例えば携帯電話機（図示せず）の充電用のコネクタであり、プリント基板２０に実装されている。プリント基板２０には光源である２つのＬＥＤ２１が実装されている。ＬＥＤ２１の光の出射方向はプリント基板２０の実装面２０ａに対して直角な方向である。
【００２２】
コンタクト３は接触部３ａと端子部３ｂと連結部（図示せず）とを有し、金属製である。接触部３ａは相手側コネクタ（図示せず）の相手側コンタクトと接触する。端子部３ｂはプリント基板２０の端子用パッド（図示せず）に半田付けされる。連結部は接触部３ａと端子部３ｂとを連結する。
【００２３】
ハウジング５はハウジング本体５１と接触部保持部５２とを有し、絶縁材料で形成されている。ハウジング本体５１はほぼ直方体状である。ハウジング本体５１にはコンタクト３の連結部が埋め込まれている。接触部保持部５２はハウジング本体５１の前面（相手側コネクタ側の面）の上部に結合されている。接触部保持部５２はハウジング５の相手側コネクタとの嵌合方向Ｄへ延びている。接触部保持部５２は複数のコンタクト３の接触部３ａを等間隔に保持している。ハウジング本体５１の嵌合方向Ｄ後端部には係止突起５１ａが形成されている。
【００２４】
ライトガイド７はライトガイド本体７１と突出部７２とを有し、無色透明のアクリル樹脂で形成されている。
【００２５】
ライトガイド本体７１はほぼ筒状であり、シールド部材１１が収容される（図２Ａ参照）。ライトガイド本体７１の内壁面には、嵌合方向Ｄへ延びる複数の凹部（図示せず）が形成されている。これらの凹部は嵌合方向Ｄでライトガイド７をシールド部材１１を介してハウジング５に対して着脱可能にするために、後述するシールド部材１１の誘い部１１２との接触を避けるための凹部である。ライトガイド本体７１の嵌合方向Ｄ後端側の下部には切欠き７１ｂが形成されている。ライトガイド７をシールド部材１１を介してハウジング５に装着したとき、ＬＥＤ２１は切欠き７１ｂに収容される。また、ＬＥＤ２１の光は切欠き７１ｂからライトガイド７内に入射し、ライトガイド７の嵌合方向Ｄ前面から出射する。このとき、ＬＥＤ２１の光はライトガイド７の外周面からも出射するので、ライトガイド７のほぼ全体が光る。
【００２６】
突出部７２はライトガイド本体７１の嵌合方向Ｄ前端側の下部に結合されている。これにより、ライトガイド７の嵌合方向Ｄ前面の面積が大きくなる。
【００２７】
シールド部材１１はシールド部材本体１１１と複数の誘い部１１２とを有し、金属製である。
【００２８】
シールド部材本体１１１はほぼ筒状である。シールド部材本体１１１の断面形状はほぼＤ字形である。シールド部材本体１１１の嵌合方向Ｄ後端側の下部には脚部１１１ａが形成されている。シールド部材本体１１１の嵌合方向Ｄ後端側の上部には切欠き１１１ｂが形成されている。切欠き１１１ｂはハウジング５の係止突起５１ａを受け入れて係止する。これにより、嵌合方向Ｄでハウジング５はシールド部材１１に対して正確に位置めされる。
【００２９】
シールド部材本体１１１の嵌合方向Ｄ後端の両側部には爪１１３と後壁１１４とが設けられている。爪１１３はシール部材１１内にハウジング５が収容された後に、ハウジング本体５１の方へ折り曲げられる。これにより、ハウジング５はシールド部材１１に固定される。
【００３０】
複数の誘い部１１２はシールド部材本体１１１の嵌合方向Ｄ前端に形成されている。誘い部１１２は相手側コネクタをシールド部材本体１１１内へ誘い入れる。
【００３１】
コネクタ１０１をプリント基板２０に実装するには、まず、ライトガイド７が外された状態のシールド部材１１をプリント基板２０の所定位置（プリント基板２０上の２つのＬＥＤ２１の間）に配置する。
【００３２】
その後、コンタクトの端子部３ｂをプリント基板２０の端子用パッドに半田付けするとともに、シールド部材１１の脚部１１１ａをプリント基板２０のパッド２０１に半田付けする（図１参照）。これらの半田付けはリフロー半田付け方法で行われる。
【００３３】
最後に、シールド部材１１の前方から後方へスライドするようにライトガイド７をシールド部材１１に装着する。ライトガイド７がシールド部材１１に装着されると、ライトガイド７及びシールド部材１１に設けられた図示しない係止手段（例えばクリックストップ機構等）によってライトガイド７はシールド部材１１に係止される。
【００３４】
ＬＥＤ２１は例えば携帯電話機の電池を充電しているとき、或いは携帯電話機の電池の容量が少なくなったときに点灯或いは点滅する。
【００３５】
ＬＥＤ２１が点灯或いは点滅しているとき、ＬＥＤ２１の光はライトガイド７によって嵌合方向Ｄ前方へ導かれるので、ライトガイド７の嵌合方向Ｄ前端面が環状に光る。
【００３６】
以上のように、第１実施形態によれば、ＬＥＤ２１から発せられる光を容易に視認することができる。
【００３７】
また、アクリル樹脂製のライトガイド７をシールド部材１１に対して着脱可能であるので、シールド部材１１をプリント基板２０にリフロー半田付けすることができ、半田付け作業が容易になる。
【００３８】
図３はこの発明の第２実施形態に係るコネクタ２０１のフィルム９を外した状態を示す斜視図、図４Ａは図３に示すコネクタのフィルムを装着した状態を示す正面図、図４Ｂは図４Ａに示すコネクタの平面図、図４Ｃは図４Ａに示すコネクタの側面図、図４Ｄは図４Ａに示すコネクタのIVＤ−IVＤ線に沿う断面図、図４Ｅは図４Ａに示すコネクタの斜視図である。
【００３９】
第１実施形態と共通する部分については同一符号を付してその説明を省略する。以下、第１実施形態との主な相違部分についてだけ説明する。
【００４０】
図３、図４Ａ〜Ｅに示すように、コネクタ２０１は複数のコンタクト３とハウジング５とフレーム８とフィルム（透光部）９とシールド部材１１とを備えている。
【００４１】
フレーム８は第１筒状部８１と第２筒状部８２と連結部（図示せず）とを有し（図４Ｄ参照）、白色のＬＣＰ（液晶ポリマー）で形成されている。なお、ＬＣＰは透光性を有しても良い。第２筒状部８２はシールド部材１１の外周面をほぼ密着状態で包囲する。第１筒状部８１は筒状空間Ｇを介して第２筒状部８２の外周面を包囲する。第１筒状部８１と第２筒状部８２とは連結部（図示せず）で連結されている。連結部の形状はＬＥＤ２１からの光をなるべく遮らないような形状である。
【００４２】
第１筒状部８１は第１筒状部本体８１１と突出部８１２とを有する。第１筒状部８１１の嵌合方向Ｄ後端側の下部には切欠き８１１ａが形成されている。切欠き８１１ａは筒状空間Ｇに通じている。フレーム８をプリント基板２０の所定位置に配置したとき、ＬＥＤ２１は切欠き８１１ａに収容される。突出部８１２は第１筒状部本体８１１の嵌合方向前端側の下部に結合されている。これにより、フレーム８の嵌合方向前面の面積が大きくなる。
【００４３】
第２筒状部８２の内壁面には、嵌合方向Ｄへ延びる複数の凹部（図示せず）が形成されている。これらの凹部は嵌合方向Ｄの前方からフレーム８をシールド部材１１に対して着脱可能にするために、シールド部材１１の誘い部１１２との接触を避けるための凹部である。
【００４４】
フィルム９は白色で半透明であり、材料としてはＬＣＰやポリイミド等が適する。フィルム９はフレーム８の嵌合方向Ｄ前端に固定されている。
【００４５】
フレーム８を耐熱性のある材料のＬＣＰ等で形成したので、フレーム８をシールド部材１１に装着した状態でリフロー半田付け方法によってコネクタ２０１をプリント基板２０に半田付けすることができる。
【００４６】
ＬＥＤ２１が点灯或いは点滅すると、ＬＥＤ２１の光は筒状空間Ｇを通じてフレーム８の嵌合方向Ｄ前方へ導かれ、フィルム９を透過する。このとき、フィルム９が環状に光る。
【００４７】
第２実施形態によれば、第１実施形態と同様の作用効果を奏するとともに、フレーム８を耐熱性のある材料で作ることにより、フレーム８を装着した状態のコネクタ２０１をリフロー半田付け方法でプリント基板２０に半田付けすることができる。
【００４８】
図５はこの発明の第３実施形態に係るコネクタの斜視図、図６Ａは図５に示すコネクタの正面図、図６Ｂは同コネクタの平面図、図６Ｃは同コネクタの側面図、図６Ｄは図６Ａに示すVIＤ−VIＤ線に沿う断面図、図６Ｅは同コネクタを図５と異なる方向から見た斜視図である。
【００４９】
第１実施形態と共通する部分については同一符号を付してその説明を省略する。以下、第１実施形態との主な相違部分についてだけ説明する。
【００５０】
図５、図６Ａ〜６Ｅに示すように、コネクタ３０１は複数のコンタクト３とハウジング３０５とシールド部材１１とを備えている。
【００５１】
ハウジング３０５はハウジング本体５１´と接触部保持部５２とを有する。ハウジング本体５１´の嵌合方向Ｄ後端部には、円形の薄肉部３５１ｂが形成されている。薄肉部３５１ｂの肉厚はＬＥＤ２１´の光を透過できる程度の薄さに設定されている。
【００５２】
この実施形態のコネクタ３０１のハウジング３０５のハウジング本体５１´の構造と第１、第２実施形態のコネクタ１０１，２０１のハウジング５のハウジング本体５１の構造とはほぼ同じである。前者のハウジング本体５１´には薄肉部３５１ｂがあるのに対し、後者のハウジング本体５１には薄肉部３５１ｂがない点だけで、両者は異なる。
【００５３】
ＬＥＤ２１´の光の出射方向はプリント基板２０の実装面２０ａと平行である。
【００５４】
コネクタ３０１はリフロー半田付けによってプリント基板２０に実装される。
【００５５】
ＬＥＤ２１´が点灯或いは点滅すると、ＬＥＤ２１´の光はハウジング３０５の薄肉部３５１ｂを通じて嵌合方向Ｄ前方へ透過する。嵌合方向Ｄ前方からコネクタ３０１を見たとき、薄肉部３５１ｂが円形に光る。
【００５６】
第３実施形態によれば、第１実施形態と同様の作用効果を奏するとともに、薄肉部３５１ｂをハウジング３０５の大きさに対応させて形成できるので、発光部分（薄肉部３５１ｂ）を大きくすることができる。
【００５７】
なお、上述の第１〜第３実施形態では、シールド部材１１を設けたが、シールド部材１１を省略することもできる。
【００５８】
また、上述の第１実施形態では、ライトガイド７をハウジング５に対して着脱可能にしたが、ライトガイド７をハウジング５に対して着脱可能にしなくても構わない。
【００５９】
なお、上述の第２実施形態では、フレーム８をハウジング５に対して着脱可能にしたが、フレーム８をハウジング５に対して着脱可能にしなくても構わない。
【００６０】
また、上述の第２実施形態では、フレーム８として第１筒状部８１と第２筒状部８２とを有するものを採用したが、フレーム８の構成は必ずしもこのようにする必要はなく、フレームはシールド部材或いはハウジングとの間に環状の隙間ができるようなものであればよい。
【００６１】
なお、フレーム８やフィルム９の材料の色は白色であるが、白色以外の色、或いは淡色であってもよい。
【図面の簡単な説明】
【００６２】
【図１】図１はこの発明の第１実施形態に係るコネクタのライトガイドを外した状態を示す斜視図である。
【図２Ａ】図２Ａは図１に示すコネクタの正面図である。
【図２Ｂ】図２Ｂは同コネクタの平面図である。
【図２Ｃ】図２Ｃは同コネクタの側面図である。
【図２Ｄ】図２Ｄは同コネクタのIIＤ−IIＤ線に沿う断面図である。
【図２Ｅ】図２Ｅは同コネクタの斜視図である。
【図３】図３はこの発明の第２実施形態に係るコネクタ２０１のフィルム９を外した状態を示す斜視図である。
【図４Ａ】図４Ａは図３に示すコネクタのフィルムを装着した状態を示す正面図である。
【図４Ｂ】図４Ｂは図４Ａに示すコネクタの平面図である。
【図４Ｃ】図４Ｃは図４Ａに示すコネクタの側面図である。
【図４Ｄ】図４Ｄは図４Ａに示すコネクタのIVＤ−IVＤ線に沿う断面図である。
【図４Ｅ】図４Ｅは図４Ａに示すコネクタの斜視図である。
【図５】図５はこの発明の第３実施形態に係るコネクタの斜視図である。
【図６Ａ】図６Ａは図５に示すコネクタの正面図である。
【図６Ｂ】図６Ｂは同コネクタの平面図である。
【図６Ｃ】図６Ｃは同コネクタの側面図である。
【図６Ｄ】図６Ｄは図６Ａに示すVIＤ−VIＤ線に沿う断面図である。
【図６Ｅ】図６Ｅは同コネクタを図５と異なる方向から見た斜視図である。
【符号の説明】
【００６３】
１０１，２０１，３０１  コネクタ
３  コンタクト
５，３０５  ハウジング
３５１ｂ  薄肉部
７  ライトガイド
８  フレーム
９  フィルム（透光部）
２１  ＬＥＤ（光源）
Ｄ  嵌合方向
Ｇ  筒状空間
【図１】
2009140763.tif 000003
【図２Ａ】
2009140763.tif 000004
【図２Ｂ】
2009140763.tif 000005
【図２Ｃ】
2009140763.tif 000006
【図２Ｄ】
2009140763.tif 000007
【図２Ｅ】
2009140763.tif 000008
【図３】
2009140763.tif 000009
【図４Ａ】
2009140763.tif 000010
【図４Ｂ】
2009140763.tif 000011
【図４Ｃ】
2009140763.tif 000012
【図４Ｄ】
2009140763.tif 000013
【図４Ｅ】
2009140763.tif 000014
【図５】
2009140763.tif 000015
【図６Ａ】
2009140763.tif 000016
【図６Ｂ】
2009140763.tif 000017
【図６Ｃ】
2009140763.tif 000018
【図６Ｄ】
2009140763.tif 000019
【図６Ｅ】
2009140763.tif 000020